(57)【特許請求の範囲】
【請求項１】
薬剤に関する情報を統括管理する薬剤情報機関に設置されるサーバと、モニタ、入力装置、通信手段であるインターネットを介して前記サーバに接続可能な通信装置、制御部を備え医療機関や薬局等に設置される端末機とからなり、前記サーバには、各薬剤の識別コード、薬剤名、前記各薬剤が有する副作用を出現臓器および初期症状毎に異なる記号で表した副作用コードを記憶した薬剤ファイルと、前記副作用コード毎の副作用内容を記憶した副作用ファイルとからなるデータベースが格納された記憶装置が設けられていて、前記端末機から、通信手段を介して前記サーバに接続し、処方された複数の薬剤の識別コードまたは薬剤名を前記入力装置で入力すると、これらの入力情報が前記サーバに送信されてこのサーバ内の制御部により前記記憶装置に記憶されたデータベースの中から前記複数の薬剤が有する副作用うち、同じ症状の副作用を有する薬剤の重複の有無が出現臓器、初期症状を含めて検索され、これらの検索結果が前記通信手段を介して端末機に送信されて、端末機の制御部により、前記モニタに表示される薬剤の副作用重複のチェックシステムであって、
前記処方された複数の薬剤の識別コードまたは薬剤名が前記端末機の入力装置により入力されてサーバに送信され、このサーバ内の制御部により前記記憶装置に記憶されたデータベースの中から前記処方された複数の薬剤が有する副作用うち、同じ症状の副作用を有する薬剤の重複の有無が出現臓器、初期症状を含めて検索され、これらの検索結果が前記通信手段を介して端末機に送信されて、端末機のモニタに前記処方された複数の薬剤が有する副作用の全ての副作用コードがそれぞれの副作用が出現する可能性のある薬剤の数とともに表示され、更に、前記副作用コードを選択することにより該副作用コードに対応する副作用の内容と、その副作用コードを有する全ての薬剤名が表示されて、どの薬剤がどのような副作用を重複しているかがわかるようにされていることを特徴とする薬剤の副作用重複のチェックシステム。
【発明の詳細な説明】
【０００１】
【発明の属する技術分野】
本発明は、一人の患者に対して同時に複数の薬剤が処方された場合に、同じ症状の副作用を有する薬剤が重複しているかどうかをチェックするシステムに関するものである。
【０００２】
【従来の技術】
薬剤は、通常、複数の効能と副作用とを有しており、医師または薬剤師は、処方される薬剤の効能および起こりうる副作用の初期症状や対処等について、患者に適切な説明をすることによって、患者が自己監視しながら正しく服薬し、危険を回避できるようにすることが必要である。
【０００３】
また、患者は、殊に内科系疾患等においては、一度に複数の薬剤を処方されることが多いが、併用薬剤の数が増えると副作用が重複する確率が高くなる。そして、単独では稀にしか起こらない副作用でも、重複することによって症状が現れる可能性が高くなり、場合によっては、ＱＯＬが悪化するような重篤な症状が出現することもある。
【０００４】
【発明が解決しようとする課題】
しかしながら、従来より、重篤な副作用の出現を防止するために、薬剤の併用禁忌に関しては薬剤に関する書籍等に記載されており、処方時に確認されているが、薬剤併用時における副作用の重複については、ほとんどチェックされていなかった。
【０００５】
しかも、膨大な数の薬剤の副作用を、全て人の記憶のみで確認することは極めて困難であるため、副作用の重複をチェックするシステムが必要であった。
【０００６】
そこで、各医療機関や薬局において、薬剤の副作用に関するデータベースを作成して、パソコン等で副作用の重複をチェックしようとすると、大容量の記憶装置を設ける必要があって経済的な負担が大きいとともに、データベースの作成や更新等を行うために、膨大な手間を要していた。
【０００７】
【課題を解決するための手段】
本発明は、上記の課題を解決するために、薬剤に関する情報を統括管理する薬剤情報機関に設置されるサーバと、モニタ、入力装置、通信手段であるインターネットを介して前記サーバに接続可能な通信装置、制御部を備え医療機関や薬局等に設置される端末機とからなり、前記サーバには、各薬剤の識別コード、薬剤名、前記各薬剤が有する副作用を出現臓器および初期症状毎に異なる記号で表した副作用コードを記憶した薬剤ファイルと、前記副作用コード毎の副作用内容を記憶した副作用ファイルとからなるデータベースが格納された記憶装置が設けられていて、前記端末機から、通信手段を介して前記サーバに接続し、処方された複数の薬剤の識別コードまたは薬剤名を前記入力装置で入力すると、これらの入力情報が前記サーバに送信されてこのサーバ内の制御部により前記記憶装置に記憶されたデータベースの中から前記複数の薬剤が有する副作用うち、同じ症状の副作用を有する薬剤の重複の有無が出現臓器、初期症状を含めて検索され、これらの検索結果が前記通信手段を介して端末機に送信されて、端末機の制御部により、前記モニタに表示される薬剤の副作用重複のチェックシステムであって、前記処方された複数の薬剤の識別コードまたは薬剤名が前記端末機の入力装置により入力されてサーバに送信され、このサーバ内の制御部により前記記憶装置に記憶されたデータベースの中から前記処方された複数の薬剤が有する副作用うち、同じ症状の副作用を有する薬剤の重複の有無が出現臓器、初期症状を含めて検索され、これらの検索結果が前記通信手段を介して端末機に送信されて、端末機のモニタに前記処方された複数の薬剤が有する副作用の全ての副作用コードがそれぞれの副作用が出現する可能性のある薬剤の数とともに表示され、更に、前記副作用コードを選択することにより該副作用コードに対応する副作用の内容と、その副作用コードを有する全ての薬剤名が表示されて、どの薬剤がどのような副作用を重複しているかがわかるようにされていることを特徴とする。
【０００８】
副作用の内容をコード化することによって、複数の薬剤が有する副作用を自動算出し、重複の有無を容易に表示することができるので、迅速且つ確実に副作用の重複をチェックすることができる。
【０００９】
また、データベースが格納された記憶装置が薬剤情報機関に設置されているので、薬剤ファイルおよび副作用ファイルからなるデータベースの作成や保守管理が薬剤情報機関によって行われ、各端末機に大規模な記憶装置を設けることなく、データベースを利用することができる。従って、端末機の設置が容易となるうえ、どの端末機からでも、常に漏れなく最新の情報を利用することができる。
【００１０】
殊に、医療機関、薬局更には患者がインターネット、携帯電話等の各種の通信手段を用いて、極めて簡単且つ迅速に情報を得ることができる。
【００１１】
【発明の実施の形態】
本発明の実施の形態を図面に基づいて説明する。
【００１２】
図１は本発明のハードウェア構成の一例を示す図である。記憶装置１２は、薬剤に関する各種情報の調査や分析を行うとともにそれらの情報を統括する薬剤情報機関１が保有するサーバ１０内において、制御部１１に接続して設けられ、記憶装置１２には、薬剤の識別コードと薬剤名、およびそれぞれの薬剤が有する副作用の副作用コードを記憶した薬剤ファイル１３と、副作用コードが表す副作用内容を記憶した副作用ファイル１４とからなるデータベースが格納されている。また、端末機２０は、医療機関の各診察室や薬局等に設置され、制御部２１と、制御部２１によってデータ処理された内容を表示するモニタ２２と、制御部２１へデータ入力するための入力装置２３、通信手段であるインターネットに接続可能な通信装置２４とからなり、必要に応じて、モニタ２２に表示された内容を印刷可能な印刷装置２５が制御部２１に接続される。そして、医療機関や薬局等に設置された端末機２０から、インターネットを介してサーバ１０へ接続し、記憶装置１２のデータベースの中から、必要な情報を検索し、読みこむことができるようにされている。
【００１３】
薬剤ファイル１３および副作用ファイル１４の内容は、サーバ１０を有する薬剤情報機関１によって保守、管理され、新しい薬剤の情報が追加されたり副作用内容が追加または変更された場合には、薬剤情報機関１によって記憶装置１２内のデータベースの修正が行われる。
【００１４】
副作用コードは、その症状が出現する臓器および初期症状を示す記号によって表される。図２は、５桁の数字からなる副作用コードの一例であり、最初の２桁は副作用が出現する臓器を示す出現臓器コード、次の２桁は初期症状コード、更に下１桁目は、他の４桁が等しいが例えば病変部位に違いがある場合のように、異なる副作用として定義されるものを識別するための識別コードとして表されたものである。副作用コードの表し方は図２の例に限るものではなく、数字やアルファベット等の記号によって、出現臓器および初期症状毎に異なる記号で表したものが用いられる。
【００１５】
以下、本発明を用いて副作用の重複をチェックする手順の例を、図３に従って説明する。
【００１６】
一人の患者に対して同時に複数の薬剤が処方された場合、医師は、それらの薬剤の識別コードを、端末機２０の入力装置２３を用いて全て入力する。
【００１７】
次に、副作用のうち、出現臓器または初期症状のいずれに関する重複をチェックするかを決める。即ち、副作用コードの何桁目が一致した場合に副作用が重複していると判断するかを指定し、その桁数を入力する。全ての症状が一致する場合だけをチェックする場合には、全ての桁を指定し、特定の臓器や、初期症状のみの重複をチェックしたいときには、それらを表す桁を指定して入力する。
【００１８】
その後、チェック機能を実行するアイコンをクリックすると、端末機２０からインターネットを介してサーバ１０に接続され、サーバ１０内の制御部１１によって、入力された各薬剤に関する副作用が検索され、その結果が端末機２０のモニタ２２に表示される。
【００１９】
図４はモニタ２２に表示される画面の一例を示したものであり、モニタ２２の左部に、処方された薬剤が一覧表示され、中央にはそれらの薬剤が有する副作用の全ての副作用コードが、それぞれの副作用が出現する可能性のある薬剤の数とともに表示されている。そして、表示された副作用コードの任意の行にカーソルを合わせると、画面の右上部に、その副作用コードが表す副作用の内容を、更に画面の右下部には、その副作用を有する薬剤名が全て表示され、どの薬剤がどのような内容の副作用を重複しているかがわかるようにされている。
【００２０】
従って、医師は、従来の併用禁忌のチェックに加えて、上記のチェックを行うことによって、副作用が重複している薬剤の投薬を中止したり、他の薬剤に変更したりして、副作用の重複を回避して重篤な副作用が起こりにくくなるように処方することができる。更に、薬剤師が、投薬前に上記のチェックを行うことによって、患者への安全性をいっそう確実なものにすることができる。
【００２１】
尚、副作用のチェック結果は、図４に示すように全ての薬剤が有する副作用を表示せずに、副作用が重複している薬剤のみを表示するようにしてもよい。
【００２２】
こうして、薬剤の副作用等の薬剤情報を薬剤情報機関１が統括して管理し、インターネットによって各医療機関や薬局等へ情報を提供することによって、新規の薬剤が追加された場合や、既存の薬剤に新たな副作用の可能性が生じた場合等には、薬剤情報機関１の薬剤ファイル１３や副作用ファイル１４を修正するだけで、全国どこの医療機関や薬局更には患者でも、常に最新の薬剤情報を利用することが可能となる。
【００２３】
尚、本実施の形態では、通信手段としてインターネットを用いる場合を示したが、例えば携帯電話やＰＤＡ等のような移動体通信手段、更にはディジタルテレビ放送等、情報要求者が適宜使用している各種の通信手段を用いることができる。
【００２４】
【発明の効果】
本発明によると、副作用の内容をコードで表すことによって、各薬剤が有する副作用をデータベース化し、複数の薬剤の中から、重複する副作用があるかどうかを自動算出して迅速且つ確実にチェックすることができる。
【００２５】
更に、記憶装置が薬剤情報機関に設置されていて、端末機から例えばインターネットなどのような通信手段によって接続可能なので、多くの端末機から記憶装置内の情報を共有できるうえ、個々の端末機に莫大なデータベースを記憶させる記憶装置を設ける必要がないために、端末機設置のための経済的負担が軽くなり、大規模な病院等でなくても、端末機を設置して容易に本システムを利用することができる。
【００２６】
また、データベースの管理が薬剤情報機関に集約されているので、薬剤ファイルや副作用ファイルのデータ更新を薬剤情報機関のサーバ内で行えば、それぞれの端末機毎にデータ保守を行う手間が不要であり、どの端末機からでも、常に最新の情報を漏れなく得ることができる。
【図面の簡単な説明】
【図１】通信手段としてインターネットを用いた場合の本発明の実施の形態を示すシステム概略図である。
【図２】本発明で用いられる副作用コードの一例を示す図である。
【図３】図１に示した本発明の実施の形態を示す流れ図である。
【図４】本発明の操作画面の一例を示す図である。
【符号の説明】
１  薬剤情報機関、１０  サーバ、１１，２１  制御部、１２  記憶装置、１３  薬剤ファイル、１４  副作用ファイル、２０  端末機、２２  モニタ、２３入力装置
【図１】
0005149471.tif 000002
【図２】
0005149471.tif 000003
【図３】
0005149471.tif 000004
【図４】
0005149471.tif 000005